(57)【要約】本開示のある実施形態は、ラジオ・リンク制御（ＲＬＣ）通信レイヤにおいてマルチ・キャリアをサポートする方法を提案する。提案された方法は、おのおののキャリアのスケジューリング情報が利用可能になった場合、プロトコル・データ・ユニット（ＰＤＵ）を前もって生成すること、および、これらＰＤＵを、おのおののキャリアに関連付けられたバッファ内に格納することによって、必要な処理を減らす。
2012516663.tif 000002
【特許請求の範囲】
【請求項１】
無線通信のための方法であって、
ラジオ・リンク制御（ＲＬＣ）レイヤにおいて、１または複数のサービス・データ・ユニット（ＳＤＵ）を受信することと、
前記受信したＳＤＵから、１または複数のプロトコル・データ・ユニット（ＰＤＵ）を生成することと、
１または複数のキャリアに関連付けられた１または複数のバッファに、それぞれのＰＤＵが１つのバッファに格納されるように、ＰＤＵを格納することと、
前記１または複数のキャリアのおのおののためのスケジューリング情報を受信することと、
前記受信したスケジューリング情報に基づいて、キャリアのおのおののためにＰＤＵを調節することと、
前記調節されたＰＤＵを、対応するキャリアにおける送信のために、媒体アクセス制御（ＭＡＣ）レイヤへ送信することと
を備える方法。
【請求項２】
前記ＰＤＵは、固定サイズを有する請求項１に記載の方法。
【請求項３】
前記スケジューリング情報は、前記キャリアのおのおのについて、伝送ブロックのサイズを備える請求項１に記載の方法。
【請求項４】
前記キャリアのおのおののためにＰＤＵを調節することは、１または複数のＰＤＵを追加して、前記キャリアのおのおのについて、伝送ブロックのサイズと等しいか、それ以上のサイズを持つＰＤＵを生成することを備える請求項１に記載の方法。
【請求項５】
前記追加されたＰＤＵのサイズが、前記伝送ブロックのサイズよりも大きい場合、最後のＰＤＵをセグメント化することをさらに備える請求項４に記載の方法。
【請求項６】
無線通信のための方法であって、
１または複数のキャリアで、１または複数のプロトコル・データ・ユニット（ＰＤＵ）を受信することと、
前記１または複数のＰＤＵのうちの何れかが、送信中に喪失したかを判定することと、
少なくとも、前記１または複数のキャリアのためのキュー遅れと、前記１または複数のキャリアのチャネル条件とに依存する値を用いてタイマを初期化することと、
喪失したＰＤＵが、前記タイマの終了前に受信されない場合、喪失したＰＤＵの再送信を要求することと
を備える方法。
【請求項７】
前記１または複数のＰＤＵが喪失したかを判定することは、前記受信したＰＤＵの連続したシーケンス番号のうち、１または複数の喪失したシーケンス番号があるかを判定することを備える請求項６に記載の方法。
【請求項８】
前記喪失したＰＤＵの再送信は、前記喪失したＰＤＵが既に送信されたキャリアとは異なるキャリアで実行される請求項７に記載の方法。
【請求項９】
無線通信のための装置であって、
ラジオ・リンク制御（ＲＬＣ）レイヤにおいて、１または複数のサービス・データ・ユニット（ＳＤＵ）を受信するためのロジックと、
前記受信したＳＤＵから、１または複数のプロトコル・データ・ユニット（ＰＤＵ）を生成するためのロジックと、
１または複数のキャリアに関連付けられた１または複数のバッファに、それぞれのＰＤＵが１つのバッファに格納されるように、ＰＤＵを格納するためのロジックと、
前記１または複数のキャリアのおのおののためのスケジューリング情報を受信するためのロジックと、
前記受信したスケジューリング情報に基づいて、前記キャリアのおのおののためにＰＤＵを調節するためのロジックと、
前記調節されたＰＤＵを、対応するキャリアにおける送信のために、媒体アクセス制御（ＭＡＣ）レイヤへ送信するためのロジックと
を備える装置。
【請求項１０】
前記ＰＤＵは、固定サイズを有する請求項９に記載の装置。
【請求項１１】
前記スケジューリング情報は、前記キャリアのおのおのについて、伝送ブロックのサイズを備える請求項９に記載の装置。
【請求項１２】
前記キャリアのおのおののためにＰＤＵを調節するためのロジックは、１または複数のＰＤＵを追加して、前記キャリアのおのおのについて、伝送ブロックのサイズと等しいか、それ以上のサイズを持つＰＤＵを生成するためのロジックを備える請求項９に記載の装置。
【請求項１３】
前記追加されたＰＤＵのサイズが、前記伝送ブロックのサイズよりも大きい場合、最後のＰＤＵをセグメント化するためのロジックをさらに備える請求項１２に記載の装置。
【請求項１４】
無線通信のための装置であって、
１または複数のキャリアで、１または複数のプロトコル・データ・ユニット（ＰＤＵ）を受信するためのロジックと、
前記１または複数のＰＤＵのうちの何れかが、送信中に喪失したかを判定するためのロジックと、
少なくとも、１または複数のキャリアのためのキュー遅れと、１または複数のキャリアのチャネル条件とに依存する値を用いてタイマを初期化するためのロジックと、
喪失したＰＤＵが、前記タイマの終了前に受信されない場合、前記喪失したＰＤＵの再送信を要求するためのロジックと
を備える装置。
【請求項１５】
前記１または複数のＰＤＵが喪失したかを判定するためのロジックは、前記受信したＰＤＵの連続したシーケンス番号のうち、１または複数の喪失したシーケンス番号があるかを判定するためのロジックを備える請求項１４に記載の装置。
【請求項１６】
前記喪失したＰＤＵの再送信は、前記喪失したＰＤＵが既に送信されたキャリアとは異なるキャリアで実行される請求項１５に記載の装置。
【請求項１７】
無線通信のための装置であって、
ラジオ・リンク制御（ＲＬＣ）レイヤにおいて、１または複数のサービス・データ・ユニット（ＳＤＵ）を受信する手段と、
前記受信したＳＤＵから、１または複数のプロトコル・データ・ユニット（ＰＤＵ）を生成する手段と、
１または複数のキャリアに関連付けられた１または複数のバッファに、それぞれのＰＤＵが１つのバッファに格納されるように、ＰＤＵを格納する手段と、
前記１または複数のキャリアのおのおののためのスケジューリング情報を受信する手段と、
前記受信したスケジューリング情報に基づいて、キャリアのおのおののためにＰＤＵを調節する手段と、
前記調節されたＰＤＵを、対応するキャリアにおける送信のために、媒体アクセス制御（ＭＡＣ）レイヤへ送信する手段と
を備える装置。
【請求項１８】
無線通信のための装置であって、
１または複数のキャリアで、１または複数のプロトコル・データ・ユニット（ＰＤＵ）を受信する手段と、
前記１または複数のＰＤＵのうちの何れかが、送信中に喪失したかを判定する手段と、
少なくとも、前記１または複数のキャリアのためのキュー遅れと、前記１または複数のキャリアのチャネル条件とに依存する値を用いてタイマを初期化する手段と、
喪失したＰＤＵが、前記タイマの終了前に受信されない場合、前記喪失したＰＤＵの再送信を要求する手段と
を備える装置。
【請求項１９】
１または複数のプロセッサによって実行可能な、格納された命令群を有するコンピュータ読取可能媒体を備える、無線通信のためのコンピュータ・プログラム製品であって、
ラジオ・リンク制御（ＲＬＣ）レイヤにおいて、１または複数のサービス・データ・ユニット（ＳＤＵ）を受信するための命令群と、
前記受信したＳＤＵから、１または複数のプロトコル・データ・ユニット（ＰＤＵ）を生成するための命令群と、
前記１または複数のキャリアに関連付けられた１または複数のバッファに、それぞれのＰＤＵが１つのバッファに格納されるように、ＰＤＵを格納するための命令群と、
前記１または複数のキャリアのおのおののためのスケジューリング情報を受信するための命令群と、
前記受信したスケジューリング情報に基づいて、前記キャリアのおのおののためにＰＤＵを調節するための命令群と、
前記調節されたＰＤＵを、対応するキャリアにおける送信のために、媒体アクセス制御（ＭＡＣ）レイヤへ送信するための命令群と
を備えるコンピュータ・プログラム製品。
【請求項２０】
１または複数のプロセッサによって実行可能な、格納された命令群を有するコンピュータ読取可能媒体を備える、無線通信のためのコンピュータ・プログラム製品であって、
１または複数のキャリアで、１または複数のプロトコル・データ・ユニット（ＰＤＵ）を受信するための命令群と、
前記１または複数のＰＤＵのうちの何れかが、送信中に喪失したかを判定するための命令群と、
少なくとも、前記１または複数のキャリアのためのキュー遅れと、前記１または複数のキャリアのチャネル条件とに依存する値を用いてタイマを初期化するための命令群と、
喪失したＰＤＵが、前記タイマの終了前に受信されない場合、前記喪失したＰＤＵの再送信を要求するための命令群と
を備えるコンピュータ・プログラム製品。
【請求項２１】
無線通信のための装置であって、
ラジオ・リンク制御（ＲＬＣ）レイヤにおいて、１または複数のサービス・データ・ユニット（ＳＤＵ）を受信し、
前記受信したＳＤＵから、１または複数のプロトコル・データ・ユニット（ＰＤＵ）を生成し、
１または複数のキャリアに関連付けられた１または複数のバッファに、それぞれのＰＤＵが１つのバッファに格納されるように、ＰＤＵを格納し、
前記１または複数のキャリアのおのおののためのスケジューリング情報を受信し、
前記受信したスケジューリング情報に基づいて、キャリアのおのおののためにＰＤＵを調節し、
前記調節されたＰＤＵを、対応するキャリアにおける送信のために、媒体アクセス制御（ＭＡＣ）レイヤへ送信する
ように構成された少なくとも１つのプロセッサを備える装置。
【請求項２２】
無線通信のための装置であって、
１または複数のキャリアで、１または複数のプロトコル・データ・ユニット（ＰＤＵ）を受信し、
前記１または複数のＰＤＵのうちの何れかが、送信中に喪失したかを判定し、
少なくとも、前記１または複数のキャリアのためのキュー遅れと、前記１または複数のキャリアのチャネル条件とに依存する値を用いてタイマを初期化し、
喪失したＰＤＵが、前記タイマの終了前に受信されない場合、前記喪失したＰＤＵの再送信を要求する
ように構成された少なくとも１つのプロセッサを備える装置。
【発明の詳細な説明】
【優先権主張】
【０００１】
本特許出願は、本特許出願の譲受人に譲渡され、本明細書において参照によって明確に組み込まれ２００９年１月２９日に出願された「マルチ・キャリアＬＴＥシステムのためのＲＬＣ」（RLC for Multi-Carrier LTE Systems）と題された米国仮特許出願６１／１４８，３２４号の利益を主張する。
【技術分野】
【０００２】
本開示のある実施形態は、一般に、無線通信に関し、さら詳しくは、マルチ・キャリア・ラジオ・リンク制御（ＲＬＣ）レイヤに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
単一キャリアを用いる従来技術の送信システムでは、ラジオ・リンク制御（ＲＬＣ）プロトコル・データ・ユニット（ＰＤＵ）が、伝送ブロック（ＴＢ）のサイズに等しいサイズで、「直ちに」生成されうる。その後、ＲＬＣ  ＰＤＵを含むＴＢが、さらなる処理および送信のために媒体アクセス制御（ＭＡＣ）レイヤへ提供される。しかしながら、例えば、ＬＴＥアドバンストのようなマルチ・キャリア・システムでは、おのおののキャリアが、イボルブド・ノードＢ（ｅＮＢ）内に配置された個別のディスクリートな回路カードで実現される。その結果、このようなスキームを実現するために要求される処理電力によって、ＲＬＣサービス・データ・ユニット（ＳＤＵ）を、別のキャリアに割り当て、ＲＣＬ  ＰＤＵを「直ちに」生成することは困難である。
【発明の概要】
【０００８】
本開示のある態様は、無線通信のための方法を提供する。この方法は一般に、ラジオ・リンク制御（ＲＬＣ）レイヤにおいて、１または複数のサービス・データ・ユニット（ＳＤＵ）を受信することと、受信したＳＤＵから、１または複数のプロトコル・データ・ユニット（ＰＤＵ）を生成することと、１または複数のキャリアに関連付けられた１または複数のバッファに、それぞれのＰＤＵが１つのバッファに格納されるように、ＰＤＵを格納することと、１または複数のキャリアのおのおののためのスケジューリング情報を受信することと、受信したスケジューリング情報に基づいて、キャリアのおのおののためにＰＤＵを調節することと、調節されたＰＤＵを、対応するキャリアにおける送信のために、媒体アクセス制御（ＭＡＣ）レイヤへ送信することとを含む。
【０００９】
本開示のある態様は、無線通信のための方法を提供する。この方法は一般に、１または複数のキャリアで、１または複数のプロトコル・データ・ユニット（ＰＤＵ）を受信することと、１または複数のＰＤＵのうちの何れかが、送信中に喪失したかを判定することと、少なくとも、１または複数のキャリアのためのキュー遅れと、１または複数のキャリアのチャネル条件とに依存する値を用いてタイマを初期化することと、喪失したＰＤＵが、タイマの終了前に受信されない場合、喪失したＰＤＵの再送信を要求することとを含む。
【００１０】
本開示のある態様は、無線通信のための装置を提供する。この装置は一般に、ラジオ・リンク制御（ＲＬＣ）レイヤにおいて、１または複数のサービス・データ・ユニット（ＳＤＵ）を受信するためのロジックと、受信したＳＤＵから、１または複数のプロトコル・データ・ユニット（ＰＤＵ）を生成するためのロジックと、１または複数のキャリアに関連付けられた１または複数のバッファに、それぞれのＰＤＵが１つのバッファに格納されるように、ＰＤＵを格納するためのロジックと、１または複数のキャリアのおのおののためのスケジューリング情報を受信するためのロジックと、受信したスケジューリング情報に基づいて、キャリアのおのおののためにＰＤＵを調節するためのロジックと、調節されたＰＤＵを、対応するキャリアにおける送信のために、媒体アクセス制御（ＭＡＣ）レイヤへ送信するためのロジックとを含む。
【００１１】
本開示のある態様は、無線通信のための装置を提供する。この装置は一般に、１または複数のキャリアで、１または複数のプロトコル・データ・ユニット（ＰＤＵ）を受信するためのロジックと、１または複数のＰＤＵのうちの何れかが、送信中に喪失したかを判定するためのロジックと、少なくとも、１または複数のキャリアのためのキュー遅れと、１または複数のキャリアのチャネル条件とに依存する値を用いてタイマを初期化するためのロジックと、喪失したＰＤＵが、タイマの終了前に受信されない場合、喪失したＰＤＵの再送信を要求するためのロジックとを含む。
【００１２】
本開示のある態様は、無線通信のための装置を提供する。この装置は一般に、ラジオ・リンク制御（ＲＬＣ）レイヤにおいて、１または複数のサービス・データ・ユニット（ＳＤＵ）を受信する手段と、受信したＳＤＵから、１または複数のプロトコル・データ・ユニット（ＰＤＵ）を生成する手段と、１または複数のキャリアに関連付けられた１または複数のバッファに、それぞれのＰＤＵが１つのバッファに格納されるように、ＰＤＵを格納する手段と、１または複数のキャリアのおのおののためのスケジューリング情報を受信する手段と、受信したスケジューリング情報に基づいて、キャリアのおのおののためにＰＤＵを調節する手段と、調節されたＰＤＵを、対応するキャリアにおける送信のために、媒体アクセス制御（ＭＡＣ）レイヤへ送信する手段とを含む。
【００１３】
本開示のある態様は、無線通信のための装置を提供する。この装置は一般に、１または複数のキャリアで、１または複数のプロトコル・データ・ユニット（ＰＤＵ）を受信する手段と、１または複数のＰＤＵのうちの何れかが、送信中に喪失したかを判定する手段と、少なくとも、１または複数のキャリアのためのキュー遅れと、１または複数のキャリアのチャネル条件とに依存する値を用いてタイマを初期化する手段と、喪失したＰＤＵが、タイマの終了前に受信されない場合、喪失したＰＤＵの再送信を要求する手段とを含む。
【００１４】
ある態様は、１または複数のプロセッサによって実行可能な、格納された命令群を有するコンピュータ読取可能媒体を備える、無線通信のためのコンピュータ・プログラム製品を提供する。これら命令群は一般に、ラジオ・リンク制御（ＲＬＣ）レイヤにおいて、１または複数のサービス・データ・ユニット（ＳＤＵ）を受信するための命令群と、受信したＳＤＵから、１または複数のプロトコル・データ・ユニット（ＰＤＵ）を生成するための命令群と、１または複数のキャリアに関連付けられた１または複数のバッファに、それぞれのＰＤＵが１つのバッファに格納されるように、ＰＤＵを格納するための命令群と、１または複数のキャリアのおのおののためのスケジューリング情報を受信するための命令群と、受信したスケジューリング情報に基づいて、キャリアのおのおののためにＰＤＵを調節するための命令群と、調節されたＰＤＵを、対応するキャリアにおける送信のために、媒体アクセス制御（ＭＡＣ）レイヤへ送信するための命令群とを含む。
【００１５】
ある態様は、１または複数のプロセッサによって実行可能な、格納された命令群を有するコンピュータ読取可能媒体を備える、無線通信のためのコンピュータ・プログラム製品を提供する。これら命令群は一般に、１または複数のキャリアで、１または複数のプロトコル・データ・ユニット（ＰＤＵ）を受信するための命令群と、１または複数のＰＤＵのうちの何れかが、送信中に喪失したかを判定するための命令群と、少なくとも、１または複数のキャリアのためのキュー遅れと、１または複数のキャリアのチャネル条件とに依存する値を用いてタイマを初期化するための命令群と、喪失したＰＤＵが、タイマの終了前に受信されない場合、喪失したＰＤＵの再送信を要求するための命令群とを含む。
【００１６】
本開示のある態様は、無線通信のための装置を提供する。この装置は一般に、ラジオ・リンク制御（ＲＬＣ）レイヤにおいて、１または複数のサービス・データ・ユニット（ＳＤＵ）を受信し、受信したＳＤＵから、１または複数のプロトコル・データ・ユニット（ＰＤＵ）を生成し、１または複数のキャリアに関連付けられた１または複数のバッファに、それぞれのＰＤＵが１つのバッファに格納されるように、ＰＤＵを格納し、１または複数のキャリアのおのおののためのスケジューリング情報を受信し、受信したスケジューリング情報に基づいて、キャリアのおのおののためにＰＤＵを調節し、調節されたＰＤＵを、対応するキャリアにおける送信のために、媒体アクセス制御（ＭＡＣ）レイヤへ送信するように構成された少なくとも１つのプロセッサを含む。
【００１７】
本開示のある態様は、無線通信のための装置を提供する。この装置は一般に、１または複数のキャリアで、１または複数のプロトコル・データ・ユニット（ＰＤＵ）を受信し、１または複数のＰＤＵのうちの何れかが、送信中に喪失したかを判定し、少なくとも、１または複数のキャリアのためのキュー遅れと、１または複数のキャリアのチャネル条件とに依存する値を用いてタイマを初期化し、喪失したＰＤＵが、タイマの終了前に受信されない場合、喪失したＰＤＵの再送信を要求するように構成された少なくとも１つのプロセッサを含む。
【図面の簡単な説明】
【００１８】
本開示の上述した特徴が、より詳細に理解される方式で、簡潔に要約された具体的な記載が、態様に対する参照によってなされている。そして、それらの幾つかは、添付図面で例示されている。しかしながら、この記載は、その他の等しく有効な態様に対しても当てはまるので、添付図面は、本開示のある典型的な態様のみを示しており、この範囲を限定するものとして考慮されないことが注目されるべきである。
【図１】図１は、本開示のある実施形態にしたがって、多元接続無線通信システムを図示する。
【図２】図２は、本開示のある実施形態にしたがって、通信システムのブロック図を図示する。
【図３】図３は、ロング・ターム・イボリューション（ＬＴＥ）規格における送信機および受信機のためのユーザ・プレーン・プロトコル・スタックを図示する。
【図４】図４は、本開示のある実施形態にしたがって、マルチ・キャリア・ラジオ・リンク制御（ＲＬＣ）レイヤのための送信機側動作の例を図示する。
【図４Ａ】図４Ａは、図４で図示された動作を実行することが可能な構成要素の例を図示する。
【図５】図５は、本開示のある実施形態にしたがって、複数のキャリアにＲＬＣプロトコル・データ・ユニット（ＰＤＵ）を割り当てるための図解例を図示する。
【図６】図６は、本開示のある実施形態にしたがって、マルチ・キャリアＲＬＣレイヤのための受信機側動作の例を図示する。
【図６Ａ】図６Ａは、図６に例示する動作を実行することが可能な構成要素の例を示す。
【発明を実施するための形態】
【００１９】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）および低チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。
【００２０】
ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現する。ＵＴＲＡ、Ｅ−ＵＴＲＡ、およびＧＳＭ（登録商標）は、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００２１】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）または発展型ＵＴＲＡにおけるアップリンク多元接続スキームのために動作していると仮定されている。
【００２２】
図１に示すように、１つの実施形態にしたがう多元接続無線通信システムが例示される。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために異なる周波数を使用することができる。例えば、順方向リンク１２０は、逆方向リンク１１８によって使用されるものとは異なる周波数を使用しうる。
【００２３】
通信するように設計された領域および／またはアンテナのおのおののグループはしばしば、アクセス・ポイントのセクタと称される。実施形態では、おのおののアンテナ・グループは、アクセス・ポイント１００によってカバーされる領域のセクタ内のアクセス端末と通信するように設計される。
【００２４】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２５】
アクセス・ポイントは、端末と通信するために使用される固定局であり、アクセス・ポイント、ノードＢ、あるいはその他幾つかの専門用語でも称されうる。アクセス端末はまた、アクセス端末、ユーザ機器（ＵＥ）、無線通信デバイス、端末、アクセス端末、あるいはその他いくつかの専門用語で称されうる。
【００２６】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２７】
実施形態では、おのおののデータ・ストリームが、それぞれの送信アンテナを介して送信される。ＴＸデータ・プロセッサ２１４は、おのおののデータ・ストリームのトラフィック・データ・ストリームをフォーマットし、このデータ・ストリームのために選択された特定の符号化スキームに基づいて符号化し、インタリーブして、符号化されたデータを提供する。
【００２８】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２９】
すべてのデータ・ストリームの変調シンボルは、（例えば、ＯＦＤＭのための）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００３０】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００３１】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３２】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、さらに、検出された各シンボル・ストリームを復調、デインタリーブ、および復号し、データ・ストリームのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３３】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００３４】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３５】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定するために、この抽出されたメッセージを処理する。
【００３６】
（マルチ・キャリアＬＴＥシステムのためのＲＬＣ）  
本開示のある実施形態は、ラジオ・リンク制御（ＲＬＣ）通信レイヤにおいて、マルチ・キャリアをサポートするための方法を提案する。提案されたこの方法は、おのおののキャリアのためのスケジューリング情報が利用可能になった場合、プロトコル・データ・ユニット（ＰＤＵ）を先ず生成すること、および、おのおののキャリアに関連付けられたバッファ内にＰＤＵを格納することによって、必要な処理を減らす。
【００３７】
無線通信システムでは、送信機および受信機は、複数のレイヤ・プロトコル・スタックを介して通信しうる。図３は、ＬＴＥ規格におけるユーザ機器（ＵＥ）３０２およびイボルブド・ノードＢ（ｅＮＢ）３０４のためのユーザ・プレーン・プロトコル・スタックを例示する。プロトコル・スタックは、パケット・データ収束プロトコル（ＰＤＣＰ）レイヤ３０６、ＲＬＣレイヤ３０８、媒体アクセス制御（ＭＡＣ）レイヤ３１０、および物理（ＰＨＹ）レイヤ３１２を含みうる。物理レイヤは、ＵＥとｅＮＢとの間でのデータの物理的な伝送を実行する。
【００３８】
送信機側では、おのおののレイヤが、上位のレイヤからサービス・データ・ユニット（ＳＤＵ）を受信し、これらＳＤＵにヘッダを加えてＰＤＵを生成し、ＰＤＵを下位のレイヤへ送信する。ＰＤＵは、より下位のレイヤによって、ＳＤＵとして取り扱われる。
【００３９】
非送信ダイバーシティの場合、ＬＴＥアドバンスト規格に準拠するマルチ・キャリア動作のために、伝送時間間隔（ＴＴＩ）毎に、サービス・キャリア毎に１つの伝送ブロック（ＴＢ）が存在しうる。異なるキャリアのＴＢは、互いに独立しており、異なるサイズを有しうる。したがって、ダウンリンク割り当てをスケジュールしている間、スケジューラは、どのサービス提供キャリアが使用されているかを判定しうる。スケジューラは、それに加えて、チャネル条件に基づいて、おのおののキャリアについてＴＢのサイズを決定しうる。
【００４０】
おのおののキャリアは、ｅＮＢにおいて、他のキャリアに対応するチャネル・カードから物理的に隔離された「チャネル・カード」として実現されうる。スケジューラは、ＴＴＩレベルで動作し、ＴＢサイズをリアル・タイムでスケジュールするので、ＴＢの実際のサイズは、前もって知られていない。したがって、スケジューリング情報が利用可能になった場合、おのおののＴＢを満たすために、ＲＬＣ  ＰＤＵのリアル・タイムのパッキングが必要とされうる。しかしながら、リアル・タイムで実行することが不可能ではない場合、異なるキャリアへのＲＬＣ  ＳＤＵの割り当てと、ＲＬＣ  ＰＤＵの生成とは、大量の処理時間および電力を要するので、極めて困難であろう。
【００４１】
マルチ・キャリアによって提供される帯域幅を十分に利用できるようにするために、ラジオ・ベアラが、サービス提供キャリアのすべてにアクセスする必要がありうる。したがって、ある実施形態については、おのおののキャリアに関連付けられたバッファが存在しうる。いくつかのデータは、ＴＢサイズが決定される前に、おのおののバッファに格納されうる。したがって、ＴＢサイズが知られている場合、ＴＢを満たすために、バッファ内のデータが使用されうる。
【００４２】
一方、おのおののラジオ・ベアラについて、ｅＮＢに入る１つのパケット・ストリームのみが存在し、これによって、ある実施形態は、到来したパケットを、スケジューリングする前に、異なるキャリアのバッファを介してディスパッチするアルゴリズムを提案する。これは、スケジューリング決定が利用可能になった場合に、パケットを配信すること、および、複数のキャリアを介して直ちにＲＬＣ  ＰＤＵを生成すること、を試みることが不可能ではない場合、極めて困難でありうる。
【００４３】
提案されたアルゴリズムは、パケットが順不同になる可能性を最小化しながら、オーバ・ザ・エア（ＯＴＡ）によるリンク利用を最大にする。これは、受信機側における喪失パケットの検出を単純化するだろう。さらに、提案されたアルゴリズムは、複数のキャリアを利用している間のパケットの受信の遅れを低減する。このアルゴリズムは、例えば、おのおののバッファのキュー長さ、おのおののバッファの平均消去速度等のような判定基準を考慮する。
【００４４】
本開示のある実施形態は、マルチ・キャリア・システムにおけるＲＬＣレイヤを提案する。これは、最初の送信についてでさえも、セグメント化されたＲＬＣパケットを生成する。現在の単一キャリアＲＬＣレイヤは、最初の送信について、非セグメント化されたＲＬＣ  ＰＤＵしか生成せず、その後の再送信について、セグメント化されたＲＬＣ  ＰＤＵを生成することが注目されるべきである。提案された方法は、システムの効率を高めながら、現在の規格における変化が最小で済むという結果が得られる。
【００４５】
ある実施形態の場合、提案された技術はまた、ＴＢサイズが利用可能になる前に、ＲＬＣ  ＰＤＵが前もって生成される単一キャリア・システムにおいても使用されうる。ＴＢのサイズが、あらかじめ生成されたＲＬＣ  ＰＤＵのサイズより小さい場合、ＲＬＣ  ＰＤＵは、最初の送信についてでさえも、ＴＢに適合するようにセグメント化されうる。提案された単一キャリア・システムのための技術の１つの利点は、ＴＢの実際のサイズが利用可能になる前に、処理（パッキング）のほとんどが、オフラインでなされうることである。
【００４６】
図４は、本開示のある実施形態にしたがって、マルチ・キャリア・ラジオ・リンク制御（ＲＬＣ）レイヤのための送信機側の動作４００を図示する。４０２において、送信機が、ＲＬＣレイヤで１または複数のＳＤＵを受信する。４０４において、送信機が、受信したＳＤＵから、１または複数のＰＤＵを生成する。４０６において、送信機が、１または複数のキャリアに関連付けられた１または複数のバッファに、ＰＤＵを格納する。ここで、おのおののＰＤＵは、１つのみのバッファに格納される。４０８において、送信機が、キャリアのおのおのについてスケジューリング情報を受信する。４１０において、送信機が、受信した情報に基づいて、おのおののキャリアのためのＰＤＵを調節する。４１２において、送信機が、対応するキャリアにおける送信のために、調節されたＰＤＵを媒体アクセス制御（ＭＡＣ）レイヤへ送信する。
【００４７】
図５は、本開示のある実施形態にしたがって、提案されたマルチ・キャリア・スキームを図示する。ｅＮＢにおけるエンティティ（例えば、エンティティＡ  ５０６）は、おのおののキャリアのＴＢのサイズが利用可能になる前でさえも、（例えば、固定サイズの）ＲＬＣ  ＰＤＵを生成するために、ＰＤＣＰレイヤ５０２内に、ラジオ・ベアラ（ＲＢ）からの到来ＲＬＣ  ＳＤＵ５０４のすべてをバッファしうる。エンティティＡは、提案されたアルゴリズム５１８に基づいて、これらＲＬＣ  ＰＤＵを、すべてのキャリアによってディスパッチしうる。
【００４８】
スケジューリング情報が知られており、おのおののサービス提供キャリアについてＴＢサイズが決定されている場合、サービス提供キャリアは、バッファ５０８、５１６に格納された予め生成されたＲＬＣ  ＰＤＵを、おのおののキャリアに関連付けられたＴＢ５１０、５１２に適合させることを試みうる。予め生成された複数のＲＬＣ  ＰＤＵに適合するように、ＴＢサイズが十分大きい（例えばＴＢ２  ５１２）場合、サービス提供キャリアは、ＴＢを満たすために、２またはそれ以上のＲＬＣ  ＰＤＵを追加するだろう。最後のＲＬＣ  ＰＤＵが適合しない場合、サービス提供キャリアは、このＲＬＣ  ＰＤＵをセグメント化し、セグメント化されたＲＬＣ  ＰＤＵをＴＢで送信しうる。ＴＢサイズが、予め生成された１つのＲＬＣ  ＰＤＵさえも適合しないほど十分大きくない場合（例えば、ＴＢ３  ５１４）、サービス提供キャリアは、おのおののＲＬＣ  ＰＤＵをセグメント化し、セグメント化されたＲＬＣ  ＰＤＵを、チャネルを介した送信のために、次のレイヤへ送る。
【００４９】
好ましくないチャネル条件により、受信機は、ＲＬＣ  ＰＤＵのうちのいくつかを受信しない場合がある。したがって、受信機は、喪失したパケット（例えば、ＲＬＣ  ＰＤＵ）の再送信を要求するために、ハイブリッド自動反復要求（ＨＡＲＱ）を利用しうる。しかしながら、ＨＡＲＱによって、ＲＬＣ  ＰＤＵは、結果的に順不同に受信されうる。したがって、喪失したＲＬＣ  ＰＤＵが検出される必要があり、ＰＤＵは、再調整される必要がある。喪失したＲＬＣ  ＰＤＵを検出するために、受信機は、ＲＬＣ  ＰＤＵのシリアル番号（ＳＮ）に依存しうる。
【００５０】
例えば、ＲＬＣ  ＳＮ  １および３が受信された場合、ＲＬＣ受信機は、再調整タイマを起動し、ＲＬＣ  ＰＤＵ  ２が到着するのを待つ。タイマが終了しても、ＲＬＣ  ＰＤＵ  ２がまだ受信されていない場合、受信機は、ＲＬＣ  ＰＤＵ  ２の再送信を求めるステータス・レポートを、送信機へ送信しうる。タイマの値は、何れかのＨＡＲＱ送信が終了するための十分な時間を考慮しておかねばならないので、タイマが終了すると、受信機は、ＰＤＵが、ＨＡＲＱバッファにおいて遅れているのではなく、喪失されたものと確信する。
【００５１】
タイマの値は、スケジューリング遅れを含む、ＨＡＲＱの予期された往復値（ＲＴＴ）に依存する。単一キャリアの場合、すべての送信が、単一キャリア上で引き起こるので、ＲＴＴは、より容易に推定されうる。ある実施形態の場合、マルチ・キャリア・システムでは、予め生成されたＲＬＣ  ＰＤＵがキャリアによってディスパッチされるので、おのおののキャリアにおけるキュー遅れ、おのおののキャリアの可変ラジオ・チャネル条件、および、ＲＬＣ  ＰＤＵをキャリアによって分配するために使用されるディスパッチング・アルゴリズムを考慮することによって、平均ＲＴＴが推定されうる。したがって、再調整タイマは、潜在的に大きなキュー遅れと、ＨＡＲＱのキャリアの可変チャネル条件とを考慮するために、より高く設定される必要がある。
【００５２】
図６は、本開示のある実施形態にしたがって、マルチ・キャリアＲＬＣレイヤのための受信機側動作６００の例を図示する。６０２において、受信機は、１または複数のキャリアで、１または複数のＰＤＵを受信する。６０４において、受信機は、送信中に、１または複数のＰＤＵが喪失されたかを判定する。受信機は、受信したＰＤＵの連続したシーケンス番号から、１または複数の喪失したシーケンス番号があるかをチェックすることによって、喪失したＰＤＵを判定しうる。６０６において、受信機は、値を用いてタイマを初期化する。この値は、少なくとも、１または複数のキャリアのキュー遅れと、１または複数のキャリアのチャネル条件とに依存する。６０８において、喪失したＰＤＵが、タイマが終了する前に受信されていない場合には、受信機が、喪失したＰＤＵの再送信を要求する。
【００５３】
ある実施形態の場合、ＲＬＣ  ＰＤＵが以前に送信されたキャリアとは別のキャリアで、ＲＬＣ  ＰＤＵの再送信がスケジュールされうる。例えば、ＲＬＣ  ＰＤＵがキャリア１で送信され、喪失した場合、もしもキャリア１が混んでいれば、エンティティＡは、ＲＬＣ  ＰＤＵを、再送信のためにキャリア２に移動させうる。
【００５４】
提案されたマルチ・キャリア・システムには、いくつかの利点がある。まず、ＬＴＥ規格のリリース８に準拠したハードウェアのほとんどを再使用できる。さらに、規格に対して最小の変更しか必要としない。提案された方法では、ＲＬＣレイヤは、最初の送信でさえ、セグメント化されたＲＬＣ  ＰＤＵを送信しうる。したがって、おのおののキャリアに対応するＴＢを満たすために必要な処理時間およびリソースは、スケジューリング情報が利用可能になった後、ＲＬＣ  ＰＤＵを予め生成すること、および、それらを、おのおののキャリアに関連付けられたバッファに格納することによって低減されうる。
【００５５】
前述された方法のさまざまな動作は、図面に例示されるようなｍｅａｎｓ−ｐｌｕｓ−ｆｕｎｃｉｔｏｎブロックに対応するさまざまなハードウェアおよび／またはソフトウェア構成要素（単数または複数）および／またはモジュール（単数または複数）によって実行されうる。例えば、図４に例示するブロック４０２−４１２は、図４Ａに例示するｍｅａｎｓ−ｐｌｕｓ−ｆｕｎｃｉｔｏｎブロック４０２Ａ−４１２Ａに対応する。さらに、図６に例示されるブロック６０２−６０８は、図６Ａに例示されるｍｅａｎｓ−ｐｌｕｓ−ｆｕｎｃｉｔｏｎブロック６０２Ａ−６０８Ａに対応する。
【００５６】
さらに一般的には、対応するｍｅａｎｓ−ｐｌｕｓ−ｆｕｎｃｉｔｏｎ図面を有する図面に例示された方法がある場合、動作ブロックは、類似の番号を持つｍｅａｎｓ−ｐｌｕｓ−ｆｕｎｃｉｔｏｎに対応する。
【００５７】
本開示に関連して説明されたさまざまな例示的な論理ブロック、モジュール、および回路を、汎用プロセッサ、デジタル信号プロセッサ（ＤＳＰ）、特定用途向け集積回路（ＡＳＩＣ）、フィールド・プログラマブル・ゲートアレイ信号（ＦＰＧＡ）もしくはその他のプログラマブル論理デバイス（ＰＬＤ）、ディスクリート・ゲートもしくはトランジスタ・ロジック、ディスクリート・ハードウェア構成要素、または本明細書で説明される機能を実行するように設計されたその任意の組み合わせを用いて実施または実行することができる。汎用プロセッサは、マイクロプロセッサとすることができるが、代替案では、プロセッサを、任意の市販のプロセッサ、コントローラ、マイクロコントローラ、または順序回路とすることができる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００５８】
本開示に関連して説明された方法またはアルゴリズムのステップを、ハードウェアで直接的に、プロセッサによって実行されるソフトウェア・モジュールによって、またはこの２つの組合せによって実施することができる。ソフトウェア・モジュールは、当該技術分野において周知のすべての形式の記憶媒体に常駐することができる。使用できる記憶媒体のいくつかの例は、ランダム・アクセス・メモリ（ＲＡＭ）、読取専用メモリ（ＲＯＭ）、フラッシュメモリ、ＥＰＲＯＭメモリ、ＥＥＰＲＯＭメモリ、レジスタ、ハードディスク、リムーバブル・ディスク、ＣＤ−ＲＯＭなどを含む。ソフトウェア・モジュールは、単一の命令または複数の命令を備えることができ、複数の異なるコード・セグメント上で、異なるプログラムの間で、および複数の記憶媒体にまたがって分散させることができる。記憶媒体を、プロセッサが記憶媒体から情報を読み取り、記憶媒体に情報を書き込めるように、プロセッサに結合することができる。あるいは、この記憶媒体は、プロセッサに統合されうる。
【００５９】
本明細書で開示された方法は、説明された方法を達成するための１または複数のステップまたは動作を備える。方法ステップおよび／または動作は、特許請求の範囲のスコープから逸脱せずに相互に置換することができる。言い換えると、ステップまたは動作の特定の順序が指定されていない限り、特定のステップおよび／または動作の順序および／または使用は、特許請求の範囲のスコープから逸脱せずに変更されうる。
【００６０】
記述された機能は、ハードウェア、ソフトウェア、ファームウェア、またはこれらの任意の組み合わせで実現されうる。ソフトウェアで実現される場合、これら機能は、コンピュータ読取可能媒体に、１または複数の命令群として格納される。記憶媒体は、コンピュータによってアクセスされうる利用可能な任意の媒体である。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるディスク（ｄｉｓｋおよびｄｉｓｃ）は、コンパクト・ディスク（ＣＤ）（ｄｉｓｃ）、レーザ・ディスク（ｄｉｓｃ）、光ディスク（ｄｉｓｃ）、ディジタル・バーサタイル・ディスク（ＤＶＤ）（ｄｉｓｃ）、フロッピー（登録商標）ディスク（ｄｉｓｋ）およびブルー・レイ（登録商標）ディスク（ｄｉｓｃ）を含んでいる。ここで、ｄｉｓｋは、通常、データを磁気的に再生する一方、ｄｉｓｃは、データをレーザを用いて光学的に再生する。
【００６１】
ソフトウェアまたは命令群は、送信媒体を介しても送信される。例えば、同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。
【００６２】
さらに、本明細書で説明された方法および技法を実行するためのモジュールおよび／または他の適切な手段を、適宜、ユーザ端末および／または基地局によってダウンロードし、かつ／または他の形式で入手することができることを了解されたい。例えば、そのようなデバイスを、本明細書で説明した方法を実行するための手段の転送を容易にするためにサーバに結合することができる。代替案では、本明細書で説明されるさまざまな方法を、記憶手段（例えば、ＲＡＭ、ＲＯＭ、コンパクト・ディスク（ＣＤ）またはフロッピー・ディスクなどの物理記憶媒体など）を介して提供することができ、ユーザ端末および／または基地局が、記憶手段をデバイスに結合するか提供するときにさまざまな方法を入手することができる。さらに、本明細書で説明された方法および技法をデバイスに提供するために、その他任意の適切な技法を利用することができる。
【００６３】
特許請求の範囲は、上述した正確な構成および構成要素に限定されないことを理解されたい。さまざまな修正、変更、および変形を、特許請求の範囲の範囲から逸脱せずに、前述した方法および装置の構成、動作、および詳細において実施することができる。
【００６４】
前述したものは、本開示の実施形態に向けられているが、これら開示のその他およびさらなる実施形態が、本願の基本的な範囲から逸脱することなく考案され、この範囲は、以下に示す特許請求の範囲によって決定される。
【図１】
2012516663.tif 000003
【図２】
2012516663.tif 000004
【図３】
2012516663.tif 000005
【図４】
2012516663.tif 000006
【図４Ａ】
2012516663.tif 000007
【図５】
2012516663.tif 000008
【図６】
2012516663.tif 000009
【図６Ａ】
2012516663.tif 000010
【国際調査報告】
2012516663.tif 000011
2012516663.tif 000012